(57)【要約】【課題】障子におけるアーム部材との連結部分が樹脂で構成される建具において、火災発生時の障子の下がりを確実に防止できる構成を提供すること。【解決手段】建具１は、障子２０の外縁を形成する樹脂製の框体３０と、枠体１０に連結されるとともに框体３０に連結され、枠体１０に対して障子２０を開閉可能に支持する上アーム部材６１及び下アーム部材６２と、上アーム部材６１と上框３１の間に配置され、当該上框３１の長手方向に沿って板状に延びる金属製の補強材６５と、上框３１の内側に形成される中空部３１ｂに配置され、上框３１の外側で該上框３１とともに補強材６５を挟んだ状態の上アーム部材６１がネジ４８を介して連結される金属製の室外側上框芯材３１ｅと、を備える。【選択図】図４
2019065558.tif 000002
【特許請求の範囲】
【請求項１】
枠体及び前記枠体に開閉可能に取り付けられる障子を備える建具であって、
前記障子の外縁を形成する樹脂製の框体と、
前記枠体に連結されるとともに前記框体に連結され、前記枠体に対して前記障子を開閉可能に支持するアーム部材と、
前記アーム部材と前記框体の間に配置され、前記框体の長手方向に沿って板状に延びる金属製の補強材と、
前記框体の内側に形成される中空部に配置され、前記框体の外側で該框体とともに前記補強材を挟んだ状態の前記アーム部材が締結固定される金属製の框芯材と、
を備える建具。
【請求項２】
前記框体の内側で前記中空部に見込方向で隣接する位置に形成される第２中空部に配置される金属製の第２框芯材と、
締結部材を介して前記框体の外側で前記框芯材と前記第２框芯材を連結する框芯材連結金具と、を更に備える請求項１に記載の建具。
【請求項３】
前記框芯材はアルミニウム材で構成され、前記第２框芯材は前記アルミニウム材よりも耐熱性が高い金属材料で構成される請求項２に記載の建具。
【発明の詳細な説明】
【技術分野】
【０００１】
本発明は、開閉可能な障子を備える建具に関する。
【背景技術】
【０００２】
従来、開閉可能な障子を備える建具において、火災発生時の障子の下がりを防止する技術が知られている。この種の技術を開示するものとして例えば特許文献１や特許文献２がある。
【０００３】
特許文献１には、アルミ製の金属下枠の室内側露出面を覆うように樹脂製の下枠が一体化されている下枠の内周面にスチール製の係合突部材が固定されている構成において、係合突部材の係合突部に、下框に形成される突片である保持片を係合させることによって、下框の反りを抑制するとともに、加熱発泡材により下枠と下框との間の隙間を塞ぐことにより、開口部装置の下辺において枠体と障子の間の隙間発生を防止し、防火性能を高くすることができると記載されている。
【０００４】
特許文献２には、樹脂製建具であって、障子の下部に固定され、障子と枠体との間に設けられた金属製の障子側部材と、枠体に固定され、障子を閉じた状態にて、障子側部材と互いに間隔を隔てて当該障子側部材の下方に配置される金属製の枠側部材と、を有する構成について記載されている。
【先行技術文献】
【特許文献】
【０００５】
【特許文献１】特開２０１４−１１８７１４号公報
【特許文献２】特許第５２２５１９６号公報
【発明の概要】
【発明が解決しようとする課題】
【０００６】
ところで、アーム部材によって障子を開閉する建具において、障子の外縁を形成する框体を樹脂製にし、樹脂製の框体にアーム部材を取り付ける構成を採ることがある。この構成では、断熱性が向上するものの、アーム部材によって吊り上げられる障子の框部分が火災発生時に溶融し、障子の戸先が下がって枠体と障子の間に隙間が生じるおそれがあった。従来の技術には、火災発生時に樹脂製の框体を有する障子をアームで確実に支持するという点で改善の余地があった。
【０００７】
本発明は、障子におけるアーム部材との連結部分が樹脂で構成される建具において、火災発生時の障子の下がりを確実に防止できる構成を提供することを目的とする。
【課題を解決するための手段】
【０００８】
本発明は、枠体（例えば、後述の枠体１０）及び前記枠体に開閉可能に取り付けられる障子（例えば、後述の障子２０）を備える建具（例えば、後述の建具１）であって、前記障子の外縁を形成する樹脂製の框体（例えば、後述の框体３０、上框３１、下框３２）と、前記枠体に連結されるとともに前記框体に連結され、前記枠体に対して前記障子を開閉可能に支持するアーム部材（例えば、後述の上アーム部材６１、下アーム部材６２）と、前記アーム部材と前記框体の間に配置され、前記框体の長手方向に沿って板状に延びる金属製の補強材（補強材６５）と、前記框体の内側に形成される中空部（例えば、後述の中空部３１ｂ、中空部３２ｂ）に配置され、前記框体の外側で該框体とともに前記補強材を挟んだ状態の前記アーム部材が締結固定される金属製の框芯材（例えば、後述の室外側上框芯材３１ｅ、室外側下框芯材３２ｅ）と、を備える建具に関する。
【０００９】
前記建具は、前記框体の内側で前記中空部に見込方向で隣接する位置に形成される第２中空部（例えば、後述の中空部３１ｃ、中空部３２ｃ）に配置される金属製の第２框芯材（例えば、後述の室内側上框芯材３１ｄ、室内側下框芯材３２ｄ）と、締結部材（例えば、後述のネジ４８，４９）を介して前記框体の外側で前記框芯材と前記第２框芯材を連結する框芯材連結金具（例えば、後述の框芯材連結金具６７）と、を更に備えることが好ましい。
【００１０】
前記框芯材はアルミニウム材で構成され、前記第２框芯材は前記アルミニウム材よりも耐熱性が高い金属材料（例えば、後述のスチール等の鋼材）で構成される。
【発明の効果】
【００１１】
本発明の建具によれば、障子におけるアーム部材との連結部分が樹脂で構成される場合であっても、火災発生時の障子の下がりを確実に防止できる。
【図面の簡単な説明】
【００１２】
【図１】本発明の一実施形態に係る建具を示す正面図である。
【図２】本実施形態の建具の縦断面図である。
【図３】本実施形態の建具の横断面図である。
【図４】本実施形態の建具が備える上アーム部材と障子の連結部分及びその周囲を示す縦断面図である。
【図５】本実施形態の建具が備える補強材の斜視図である。
【図６】本実施形態の建具が備える上框に補強材が取り付けられている様子を示す斜視図である。
【図７】本実施形態の建具が備える障子に補強材を介して上アーム部材が取り付けられている様子を示す平面図である。
【発明を実施するための形態】
【００１３】
以下、本発明の好ましい実施形態について、図面を参照しながら説明する。なお、本明細書において、「見付方向」とは、建物に形成された開口部に納められた建具（サッシ）の枠体に収められるガラスや障子の面内方向を意味し、「見込方向」とは、室内外方向（即ち、奥行き方向）を意味する。
【００１４】
図１は、本発明の一実施形態に係る建具１を示す正面図である。本実施形態の建具１は、防火仕様の縦辷り窓である。まず、建具１の全体構成について説明する。本実施形態の建具１は、建物開口部に固定される枠体１０と、枠体１０の内側に開閉可能に取り付けられる障子２０と、を備える。
【００１５】
枠体１０は、上枠１１、下枠１２、吊元側縦枠１３及び戸先側縦枠１４が矩形に枠組みされて構成される。上枠１１、下枠１２、吊元側縦枠１３及び戸先側縦枠１４は、何れも樹脂製であり、溶着によって接合される。
【００１６】
図２は、本実施形態の建具１の縦断面図である。上枠１１の内部は、見込方向で複数の空間に区画されており、室外側から室内側の順に中空部１１ａ，１１ｂ，１１ｃが形成される。中空部１１ｃには金属製の上枠芯材１１ｄが配置される。また、上枠１１の室内側下部には、下方に延びる延出部１１ｅが形成され、延出部１１ｅの室外側の見付面にはクッション材１１ｆが配置される。同様に、下枠１２の内部にも、見込方向に複数の中空部１２ａ，１２ｂ，１２ｃが形成され、中空部１２ｂには金属製の下枠芯材１２ｄが配置される。また、下枠１２の室内側上部には、上方に延びる延出部１２ｅが形成され、該延出部１２ｅにもクッション材１２ｆが配置される。
【００１７】
図３は、本実施形態の建具１の横断面図である。吊元側縦枠１３の内部も、見込方向で区画された複数の中空部１３ａ，１３ｂ，１３ｃが形成され、中空部１３ｂには金属製の縦枠芯材１３ｄが配置される。また、吊元側縦枠１３の室外側には見付方向戸先側に延びる延出部１３ｅが形成され、該延出部１３ｅにもクッション材１３ｆが配置される。
【００１８】
戸先側縦枠１４の内部にも、見込方向で区画された複数の中空部１４ａ，１４ｂ，１４ｃが形成され、中空部１４ｂには金属製の縦枠芯材１４ｄが配置される。戸先側縦枠１４の室外側にも見付方向吊元側に延びる延出部１４ｅが形成され、該延出部１４ｅにもクッション材１４ｆが配置される。
【００１９】
図３に示すように、枠体１０の内側の隅（内隅）には枠側コーナー金具４６がそれぞれ配置される（図２において図示省略）。枠側コーナー金具４６は、４隅のそれぞれに配置される。枠側コーナー金具４６自体は、枠体１０の見込面に配置されるが、ネジ等の締結部材を介して枠体１０の内側の芯材（上枠芯材１１ｄ、下枠芯材１２ｄ、縦枠芯材１３ｄ及び縦枠芯材１４ｄ）に締結固定される。より具体的には、枠体１０の戸先側上部では、上枠芯材１１ｄと縦枠芯材１４ｄが枠側コーナー金具４６によって連結され、吊元側上部では、上枠芯材１１ｄと縦枠芯材１３ｄが連結される。同様に、戸先側下部では、下枠芯材１２ｄと縦枠芯材１４ｄが枠側コーナー金具４６によって連結され、吊元側下部では、下枠芯材１２ｄと縦枠芯材１３ｄが連結される。
【００２０】
障子２０は、ガラス２５と、ガラス２５を囲うように構成される框体３０と、を含むように構成される。
【００２１】
ガラス２５は、室外側に配置される室外側ガラス２５ａと、室外側ガラス２５ａに対して隙間をあけて室内側に配置される室内側ガラス２５ｂと、を備える複層ガラスである。室外側ガラス２５ａと室内側ガラス２５ｂの間にはスペーサ２６等が配置される。
【００２２】
框体３０は、上框３１、下框３２、吊元側縦框３３及び戸先側縦框３４が矩形に枠組みされて構成される。上框３１、下框３２、吊元側縦框３３及び戸先側縦框３４は、何れも樹脂製であり、溶着によって接合される。
【００２３】
上框３１の内部には、室外側から室内側に向かって複数の中空部３１ａ，３１ｂ，３１ｃが形成される。最も室内側に位置する中空部３１ｃには、金属で形成される室内側上框芯材３１ｄが配置される。中空部３１ｂにも、金属製の室外側上框芯材３１ｅが配置される。室内側上框芯材３１ｄ及び室外側上框芯材３１ｅは、何れも上框３１の長手方向に沿って延びている。上框３１の室外側上部には、上枠１１の一部と見込方向で対向する延出部３１ｆが形成される。延出部３１ｆの室内側にはクッション材３１ｇが設けられる。また、延出部３１ｆの下方には樹脂製の押し縁部材２７を嵌合固定する嵌合固定部３１ｈが形成される。
【００２４】
下框３２の内部にも、室外側から室内側に向かって複数の中空部３２ａ，３２ｂ，３２ｃが形成される。最も室内側に位置する中空部３２ｃには、金属で形成される室内側下框芯材３２ｄが配置される。中空部３２ｂにも、金属製の室外側下框芯材３２ｅが配置される。室内側下框芯材３２ｄ及び室外側下框芯材３２ｅは、何れも下框３２の長手方向に沿って延びている。下框３２の室外側下部には、下枠１２の一部と見込方向で対向する延出部３２ｆが形成される。延出部３２ｆの室内側にはクッション材３２ｇが設けられる。また、延出部３２ｆの下方には樹脂製の押し縁部材２７を嵌合固定する嵌合固定部３２ｈが形成される。
【００２５】
吊元側縦框３３の内部には、室外側から室内側に向かって複数の中空部３３ａ，３３ｂ，３３ｃが形成される。最も室内側に位置する中空部３３ｃには、金属で形成される室内側縦框芯材３３ｄが配置される。中空部３３ｂにも、金属製の室外側縦框芯材３３ｅが配置される。室内側縦框芯材３３ｄ及び室外側縦框芯材３３ｅは、何れも吊元側縦框３３の長手方向に沿って延びている。吊元側縦框３３の室外側には、吊元側縦枠１３の一部と見込方向で対向する延出部３３ｆが形成される。延出部３３ｆの室内側にはクッション材３３ｇが設けられる。また、延出部３３ｆの戸先側には樹脂製の押し縁部材２７を嵌合固定する嵌合固定部３３ｈが形成される。
【００２６】
戸先側縦框３４の内部には、室外側から室内側に向かって複数の中空部３４ａ，３４ｂ，３４ｃが形成される。最も室内側に位置する中空部３４ｃには、金属で形成される室内側縦框芯材３４ｄが配置される。中空部３４ｂにも、金属製の室外側縦框芯材３４ｅが配置される。室内側縦框芯材３４ｄ及び室外側縦框芯材３４ｅは、何れも戸先側縦框３４の長手方向に沿って延びている。戸先側縦框３４の室外側には、吊元側縦枠１３の一部と見込方向で対向する延出部３４ｆが形成される。延出部３４ｆの室内側にはクッション材３４ｇが設けられる。また、延出部３４ｆの吊元側には樹脂製の押し縁部材２７を嵌合固定する嵌合固定部３４ｈが形成される。
【００２７】
本実施形態では、框体３０内部の室外側に位置する芯材（室外側上框芯材３１ｅ、室外側下框芯材３２ｅ、室外側縦框芯材３３ｅ及び室外側縦框芯材３４ｅ）と、室内側に位置する芯材（室内側上框芯材３１ｄ、室内側下框芯材３２ｄ、室内側縦框芯材３３ｄ及び室内側縦框芯材３４ｄ）と、が框芯材連結金具６７によって連結されている。框芯材連結金具６７は、框体３０の外側面の形状に応じて段差状に形成されるプレート部材である。框芯材連結金具６７は、框体３０（上框３１、下框３２、吊元側縦框３３及び戸先側縦框３４）の外部に配置され、框体３０の内部で異なる中空部に配置される室外側の芯材と室内側の芯材にネジ等の締結部材によってそれぞれ締結される。これによって見込方向に複数の中空部が形成される樹脂製の框体３０が火災発生時の高温環境下で室外側と室内側に分離する事態が確実に防止されている。
【００２８】
障子２０は、上枠１１に連結されるとともに上框３１（框体３０）に連結される上アーム部材６１及び下枠１２に連結されるとともに下框３２（框体３０）に連結される下アーム部材６２によって開閉可能に枠体１０の内側に支持される。本実施形態では、上アーム部材６１及び下アーム部材６２は、何れも框体３０に対して金属により板状に成形される補強材６５を介して連結される。
【００２９】
障子２０の戸先側には、ハンドル５５に連動するスライドロック機構５０が配置される。スライドロック機構５０は、ハンドル５５操作に連動して上下方向に移動するスライドプレート５１と、スライドプレート５１の戸先側の見込面に形成されるロックピン５２と、を備える。戸先側縦枠１４の内側の見込面には、ロックピン５２が嵌合するロックピン受け金具１５が固定される。本実施形態では、ロックピン５２は、上下方向で複数個所に形成されており、ロックピン受け金具１５もロックピン５２の数に応じて上下方向に間隔をあけて複数固定される。また、スライドプレート５１は、戸先側縦框３４の戸先側にスライド嵌合された状態でハンドル５５に連結されている。
【００３０】
下框３２には、通常使用時の障子２０の下がりを防止するための受け樹脂部材３５が下框３２の下面に固定されている。受け樹脂部材３５は、例えばポリアセタール（ＰＯＭ）樹脂により、その下部が室内側から室外側に向かうにつれて下側に近づくように傾斜した形状で成形される。また、障子２０の左右方向において中央よりも戸先側に位置している。この受け樹脂部材３５により、重みによって障子２０が下がったとしても、受け樹脂部材３５が下枠１２に接触し、障子２０のそれ以上の下方への移動が規制される。
【００３１】
図４は、本実施形態の建具が備える上アーム部材６１と障子２０の連結部分及びその周囲を示す縦断面図である。次に、火災発生時の障子２０の下がりを防止するために、上アーム部材６１と障子２０の間に配置される補強材６５及びこれに関する構成について説明する。
【００３２】
上アーム部材６１は、枠側固定部材６１ａと、框側固定部材６１ｂと、リンク機構６１ｃと、を備える。
【００３３】
枠側固定部材６１ａは、上枠１１の下面（外部）から中空部１１ｂの上枠芯材１１ｄにネジ３７により締結固定される。これにより、上アーム部材６１の上部が上枠１１に固定される。上枠芯材１１ｄは、スチール製であり、予め形成された締結孔を通じてネジ３７が締結される。
【００３４】
リンク機構６１ｃは、障子２０を開閉させるための機構であり、複数の板状部材から構成される。リンク機構６１ｃによって枠側固定部材６１ａと框側固定部材６１ｂが連結されている。
【００３５】
框側固定部材６１ｂは、補強材６５の上に配置される。框側固定部材６１ｂは、上框３１とともに補強材６５を挟み込んだ状態でネジ等の締結部材（図示省略）によって上框３１の中空部３１ｂの室外側上框芯材３１ｅに締結固定される。
【００３６】
本実施形態の室外側上框芯材３１ｅは、アルミ製であり、セルフタップ式ネジによって十分なトルクで框側固定部材６１ｂ（上アーム部材６１）を締結固定できるようになっている。また、室外側上框芯材３１ｅには、上框３１の下面（見込面）に配置されるガラス外れ止め部材４０がネジ４５を介して連結されている。ガラス外れ止め部材４０は、ガラス２５の室外側への移動を規制する部材であり、内側には加熱発泡材３８が配置される。
【００３７】
また、室外側上框芯材３１ｅが配置される中空部３１ｂに隣接する室内側の中空部３１ｃに配置される室内側上框芯材３１ｄはスチール製のものが用いられる。上述のように、見込方向に並ぶ室外側上框芯材３１ｅと室内側上框芯材３１ｄは框芯材連結金具６７によって連結されている。
【００３８】
框芯材連結金具６７は、室外側の平面部分が上框３１の室外側の上面に配置された状態でネジ４８によって中空部３１ｂの室外側上框芯材３１ｅに締結固定されるとともに、室外側の平面部分よりも一段下がった室内側の平面部分が上框３１の室内側の上面に配置された状態でネジ４９によって中空部３１ｃの室内側上框芯材３１ｄに締結固定されることで、上框３１の外部から内部の室外側上框芯材３１ｅと室内側上框芯材３１ｄを連結する。また、框芯材連結金具６７における室内側の平面部分の下方には上框３１の長手方向に沿って延びる加熱発泡材３９が配置される。
【００３９】
図５は、本実施形態の建具１が備える補強材６５の斜視図である。図５に示すように、補強材６５は、スチールにより細長の板状に形成される。補強材６５の吊元側には締結孔６６が長手方向に複数並んで形成される。
【００４０】
室外側上框芯材３１ｅに框側固定部材６１ｂ（上アーム部材６１）を締結固定するためのネジ（図示省略）は、框側固定部材６１ｂを貫通するとともに補強材６５の締結孔６６を通じて上框３１の外部から内部（中空部３１ｂ）に差し込まれる。
【００４１】
図６は、本実施形態の建具１が備える上框３１に補強材６５が取り付けられている様子を示す斜視図である。図７は、本実施形態の建具１が備える障子２０に補強材６５を介して上アーム部材６１が取り付けられている様子を示す平面図である。なお、図６では上アーム部材６１の図示を省略している。また、図７の鎖線は障子２０が開放位置にあるときの上アーム部材６１の状態を示している。
【００４２】
図６及び図７に示すように、補強材６５は、上框３１の上面（見込面）の室外側に配置される。本実施形態の補強材６５は、框芯材連結金具６７と上框３１に挟まれた状態でネジ４８によって室外側上框芯材３１ｅに共締めされる。
【００４３】
本実施形態では、框体３０の外側のコーナー（外隅）には框コーナー金具６８が配置される。框コーナー金具６８は、Ｌ字状のプレートであり、框体３０の外側からネジ等の締結部材を介して框体３０の内側の芯材（室外側上框芯材３１ｅ、室外側下框芯材３２ｅ、室外側縦框芯材３３ｅ及び室外側縦框芯材３４ｅ）を連結する。より具体的には、框体３０の戸先側上部では、室外側上框芯材３１ｅと室外側縦框芯材３４ｅが框コーナー金具６８によって連結され、吊元側上部では、室外側上框芯材３１ｅと室外側縦框芯材３３ｅが框コーナー金具６８によって連結される。同様に、戸先側下部では、室外側下框芯材３２ｅと室外側縦框芯材３４ｅが連結され、吊元側下部では、室外側下框芯材３２ｅと室外側縦框芯材３３ｅが連結される。
【００４４】
更に、上框３１と戸先側縦框３４の連結部分の外側のコーナーには、Ｌ字型の戸先側框コーナー金具６９が更に配置される。戸先側框コーナー金具６９は、補強材６５の戸先側の端部を上から覆うように配置されており、補強材６５と室外側上框芯材３１ｅに共締めされるとともに、戸先側縦框３４の室外側縦框芯材３４ｅに締結固定される。
【００４５】
このように、本実施形態では、框体３０の内部の芯材が互いに連結されている。従って、室外側上框芯材３１ｅに連結される補強材６５は、室外側上框芯材３１ｅに連結される他の芯材（例えば、室内側上框芯材３１ｄや室外側縦框芯材３４ｅ等）によっても間接的に連結される。
【００４６】
なお、下アーム部材６２も補強材６５を介して下框３２に固定される（図２参照）。固定方法は、既に説明した上アーム部材６１及び補強材６５の場合と同様であるのでその説明を省略する。
【００４７】
以上説明した上記実施形態の構成によれば、以下のような効果を奏する。
建具１は、障子２０の外縁を形成する樹脂製の框体３０と、枠体１０に連結されるとともに框体３０（上框３１）に連結され、枠体１０に対して障子２０を開閉可能に支持する上アーム部材６１（下アーム部材６２）と、上アーム部材６１と上框３１（下アーム部材６２と下框３２）の間に配置され、当該上框３１（下框３２）の長手方向に沿って板状に延びる金属製の補強材６５と、上框３１（下框３２）の内側に形成される中空部３１ｂ（中空部３２ｂ）に配置され、上框３１（下框３２）の外側で該上框３１（下框３２）とともに補強材６５を挟んだ状態の上アーム部材６１（下アーム部材６２）が締結固定される金属製の室外側上框芯材３１ｅ（室外側下框芯材３２ｅ）と、を備える。
【００４８】
これにより、火災発生時に樹脂製の上框３１が溶融しても室外側上框芯材３１ｅに締結固定されるとともに上框３１の長手方向に沿って延びる金属製の補強材６５によって障子２０の下がりを防止することができる。上框３１の長手方向に沿って延びているので補強材６５の突っ張りにより、障子２０の戸先側の下がりを効果的に防止できるのである。
【００４９】
また、本実施形態の建具１は、上框３１の内側で中空部３１ｂ（中空部３２ｂ）に見込方向で隣接する位置に形成される中空部３１ｃ（中空部３２ｃ）に配置される金属製の室内側上框芯材３１ｄ（室内側下框芯材３２ｄ）と、ネジ４８，４９を介して上框３１（下框３２）の外側で室外側上框芯材３１ｅ（室外側下框芯材３２ｅ）と室内側上框芯材３１ｄ（室内側下框芯材３２ｄ）を連結する框芯材連結金具６７と、を更に備える。
【００５０】
これにより、見込方向に配置される複数の中空部３１ｂ，３１ｃ（中空部３２ｂ，３２ｃ）によって断熱性を向上させつつ、火災発生時の上框３１の溶融によって室外側上框芯材３１ｅ及び室内側上框芯材３１ｄが室内外のそれぞれに向かおうとして上框３１（下框３２）が分離してしまうような事態の発生を確実に防止できる。
【００５１】
また、本実施形態では、室外側上框芯材３１ｅ（室外側下框芯材３２ｅ）はアルミニウム材で構成され、室内側上框芯材３１ｄ（室内側下框芯材３２ｄ）はアルミニウム材よりも耐熱性が高いスチール製である。なお、アルミニウム材は、アルミニウムを主成分とする金属材料である。
【００５２】
これにより、上アーム部材６１が固定される室外側上框芯材３１ｅ（室外側下框芯材３２ｅ）についてはアルミ製であるのでセルフタップ式のネジ４８によって締結作業を容易にできる。また、室外側上框芯材３１ｅ（室外側下框芯材３２ｅ）は、溶融し難いスチール製の室内側上框芯材３１ｄ（室内側下框芯材３２ｄ）に框芯材連結金具６７を介して連結されているので、アルミが溶融し易い高温状態となっても室内側上框芯材３１ｄ（室内側下框芯材３２ｄ）によって障子２０の下がりを確実に防止できる。
【００５３】
以上、本発明の好ましい実施形態について説明したが、本発明は、上述の実施形態に制限されるものではなく、適宜変更が可能である。
【００５４】
上記実施形態では、上アーム部材６１が補強材６５を介して上框３１に連結されるとともに下アーム部材６２も補強材６５を介して下框３２に連結される例を説明したが、場合によっては下アーム部材６２から補強材６５を省略することもできる。この構成においても、高温状態となり易い建具１の上部において、上アーム部材６１と障子２０の間に補強材６５が配置されることになるので障子２０の下がりを効果的に防止できる。なお、場合によっては、アーム部材と上框の連結を他の方法で補強する等して下アーム部材と下框の間にのみ補強材を配置する構成とすることもできる。
【００５５】
また、上記実施形態で説明した上框３１、下框３２、吊元側縦框３３及び戸先側縦框３４の構成に限られず、框体の構成は適宜変更することができる。例えば、框体（上框、下框、吊元側縦框及び戸先側縦框）の見込方向室内側及び室外側の何れか一側又は両方にアルミ形材等の金属製のカバー部材を配置する構成としてもよい。
【符号の説明】
【００５６】
１  建具
１０  枠体
２０  障子
３０  框体
３１ｂ，３２ｂ  中空部
３１ｃ，３２ｃ  中空部（第２中空部）
３１  上框（框体）
３２  下框（框体）
３１ｄ  室内側上框芯材（第２框芯材）
３１ｅ  室外側上框芯材（框芯材）
３２ｄ  室内側下框芯材（第２框芯材）
３２ｅ  室外側下框芯材（框芯材）
４８，４９  ネジ（締結部材）
６１  上アーム部材（アーム部材）
６２  下アーム部材（アーム部材）
６５  補強材
６７  框芯材連結金具
【図１】
2019065558.tif 000003
【図２】
2019065558.tif 000004
【図３】
2019065558.tif 000005
【図４】
2019065558.tif 000006
【図５】
2019065558.tif 000007
【図６】
2019065558.tif 000008
【図７】
2019065558.tif 000009